(57)【要約】【課題】スリットへの埃の付着を検出後に自動的にスリットの掃除を確実に行う画像読取装置を提供する。【解決手段】画像を有するフィルムＦを搬送機構により搬送し、搬送経路に配置した光透過部材を介して光源からの光をフィルムＦに照射し、フィルムＦの画像を、スリットを有する読取光学系により読み取る画像読取装置において、前記スリットがローラ８０、８１であって、前記読取光学系によって前記スリットに付着した埃を検出して、自動的にスリットの掃除を行う。【選択図】　　　　図１
2004077642.tif 000002
【特許請求の範囲】
【請求項１】
画像を有するフィルムを搬送機構により搬送し、搬送経路に配置した光透過部材を介して光源からの光を前記フィルムに照射し、前記フィルムの画像を、スリットを有する読取光学系により読み取る画像読取装置において、前記スリットがローラ対で構成されたことを特徴とする画像読取装置。
【請求項２】
前記ローラ対は動力によって回転することを特徴とする請求項１に記載の画像読取装置。
【請求項３】
前記動力は前記搬送機構より供給されることを特徴とする請求項２に記載の画像読取装置。
【請求項４】
前記動力の伝達／非伝達を切替えるクラッチを備えたことを特徴とする請求項３に記載の画像読取装置。
【請求項５】
前記ローラ対が金属ローラである請求項１に記載の画像読取装置。
【請求項６】
前記ローラ対の表面がつや消し塗装されたことを特徴とする請求項１に記載の画像読取装置。
【請求項７】
前記ローラ対の表面を掃除する掃除具を備えたことを特徴とする請求項１に記載の画像読取装置。
【請求項８】
前記掃除具がブラシである請求項７に記載の画像読取装置。
【請求項９】
前記掃除具が繊維材である請求項８に記載の画像読取装置。
【請求項１０】
前記繊維材に弾性部材を介在させた請求項９に記載の画像読取装置。
【請求項１１】
前記繊維材を前記スリットに圧接させる請求項１０に記載の画像読取装置。
【請求項１２】
前記弾性部材がスポンジである請求項１１に記載の画像読取装置。
【請求項１３】
前記ローラ対の表面に付着した埃を検出する埃検出手段を備えたことを特徴とする請求項１に記載の画像読取装置。
【請求項１４】
前記埃検出手段は、前記フィルムが存在しない時の前記前記ローラ対を通過した前記光源からの光量分布を検出することを特徴とする請求項１３に記載の画像読取装置。
【請求項１５】
前記光源の光量分布は、前記読取光学系のＣＣＤにより検出することを特徴とする請求項１４に記載の画像読取装置。
【請求項１６】
前記検出した光量分布が所定範囲内でないとき、所定時間だけ前記搬送機構を駆動して、前記クラッチを伝達状態として前記ローラ対を回転させて前記掃除具により前記ローラの表面の掃除を行うことを特徴とする請求項１５に記載の画像読取装置。
【発明の詳細な説明】
【０００１】
【発明の属する技術分野】
本発明は、フィルム等の原稿に形成された画像を読み取る画像読取装置に関するものである。
【０００２】
【従来の技術】
本願と同一の出願人より特開２０００−１６５５９６により、出願公開されている。特開２０００−１６５５９６の概要構成図を図５に示す。この従来例の目的は、スリットや拡散板等の光学部材に付着した埃を、装置を分解することなく容易に除去することが可能な画像読取装置を提供している。
【０００３】
このため、画像を有する原稿に、光源からの光を前記原稿に照射してこの原稿の画像を読取光学系により読み取る画像読取装置又は光源からの光を、光学系を介して記録媒体上に照射して画像を記録する画像記録装置において、前記装置内部の光学部材に付着した埃を除去する埃除去手段を前記光学部材に案内するためのガイド手段を備えたことを特徴とするものである。
【０００４】
装置本体３１の下側にはフィルムＦを積み重ねて収納するサプライトレイ３２が設けられ、サプライトレイ３２の上部には、読み取られたフィルムＦを受け入れるためのレシーブトレイ３３が設けられている。装置本体３１の内部において、フィルムＦをサプライトレイ３２からレシーブトレイ３３に搬送するための搬送機構３４とガイド板３５、３６とが、サプライトレイ３２とレシーブトレイ３３の間に設けられている。レシーブトレイ３３の奥部には副走査機構３７が設けられ、副走査機構３７の上方には光学ユニット３８が設けられている。
【０００５】
搬送機構３４では、回転しながらフィルムＦをサプライトレイ３２から副走査機構３７に搬送する回転本体４１が点Ｃを中心として回動自在に設けられ、回転本体４１には吸盤４２が上下動自在に設けられている。ガイド３５、３６は点Ｃを中心とする円弧状とされ、所定間隔で平行に配置されている。
【０００６】
副走査機構３７では、搬送機構３４により搬送されたフィルムＦの前端を受け入れる第１のローラ対４３、４４と、これらの第１のローラ対４３、４４により搬送されたフィルムＦを受け入れる第２のローラ対４５、４６とが設けられ、他とえば第１のローラ対４３、４４は図示しない駆動モータにより駆動されるようになっている。そして、上部のローラ４３、４５の間には、それらに接触するプーリ４７が介在され、第２のローラ対４５、４６は第１のローラ対４３、４４に従動するように構成されている。
【０００７】
図６にその要部の部分拡大図に示す様に、第１のローラ対４３、４４と第２のローラ対４５、４６の間には、主走査方向に開口Ｓ１，Ｓ２を有する１対のガイド板４８、４９が、フィルムＦの通路の両側に配置されており、上方のガイド４８の上方には、各スリット７０、７１が設けられている。下方のガイド板４９のスリットＳ２には、拡散板５０が取り付けられている。ガイド板４９の下方には熱吸収フィルタ５１、ランプ５２及びリフレクタ５３が順次配置されている。
【０００８】
図７は、図６の長手方向の断面図を示している。各スリット７０、７１の一端には、中空管７２が配置され、装置本体３１の外へ連結されている。中空管７２の空気注入口９０にブロア７３のノズル７４を挿入してエアブローを送ることによって、略筒状に構成された各スリット７０、７１の内側を効率よく空気が流れて、各スリット７０、７１内側に付着した埃を除去するようになっている。
【０００９】
【発明が解決しようとする課題】
しかしながら上述の従来例においては、埃が光学部材に付着する度に、ブロアを用いて埃を除去する必要があった。特に保管状態の悪いフィルムの読み取りを行った場合には頻繁に埃を除去しなければならないという問題があった。また、埃が取れにくいものに関しては何度もエアブローを吹き付けなければならなかった。
【００１０】
本発明は、以上のように埃が付着してから掃除を手動で行うといった煩わしさを解消して、埃の付着を検出後に自動的にスリットのクリーニングを確実に行う画像読取装置を提供することを目的としている。
【００１１】
【課題を解決するための手段】
上記目的を達成するための本発明に係る画像読取装置は、画像を有するフィルムを搬送機構により搬送し、搬送経路に配置した光透過部材を介して光源からの光を前記フィルムに照射し、前記フィルムの画像を、スリットを有する読取光学系により読み取る画像読取装置において、前記スリットがローラ対で構成されたことを特徴とする。
【００１２】
【発明の実施の形態】
本発明を図１〜図４に図示の実施の形態に基づいて詳細に説明する。
図１は、本発明の実施の形態の画像読取装置の概要構成図であり、従来例１において重複的に説明したように、装置本体３１の下側にはフィルムＦを積み重ねて収納するサプライトレイ３２が設けられ、サプライトレイ３２の上部には、読み取られたフィルムＦを受け入れるためのレシーブトレイ３３が設けられている。装置本体３１の内部において、フィルムＦをサプライトレイ３２からレシーブトレイ３３に搬送するための搬送機構３４とガイド板３５、３６とが、サプライトレイ３２とレシーブトレイ３３の間に設けられている。レシーブトレイ３３の奥部には副走査機構３７が設けられ、副走査機構３７の上方には光学ユニット３８が設けられている。
【００１３】
搬送機構３４では、回転しながらフィルムＦをサプライトレイ３２から副走査機構３７に搬送する回転本体４１が点Ｃを中心として回動自在に設けられ、回転本体４１には吸盤４２が上下動自在に設けられている。ガイド３５、３６は点Ｃを中心とする円弧状とされ、所定間隔で平行に配置されている。
【００１４】
副走査機構３７では、搬送機構３４により搬送されたフィルムＦの前端を受け入れる第１のローラ対４３、４４と、これらの第１のローラ対４３、４４により搬送されたフィルムＦを受け入れる第２のローラ対４５、４６とが設けられ、他とえば第１のローラ対４３、４４は図示しない駆動モータにより駆動されるようになっている。そして、上部のローラ４３、４５の間には、それらに接触するプーリ４７が介在され、第２のローラ対４５、４６は第１のローラ対４３、４４に従動するように構成されている。
【００１５】
図２にその要部と光学ユニットの部分拡大図に示す。光学ユニット３８には、光学基台７７上に、スリット支持部７５、７６を介して支持され、ランプ５２からの光を制限するローラスリット８０、８１と、ローラスリット８０、８１を通過した光ビームを反射する反射ミラー５４と、このミラー５４からの光ビームを結像させるレンズ５５と、このレンズ５５からの光ビームを受光するＣＣＤ５６とが配置されていて、これらは光学ユニットカバー７２とスリットカバー７３、７４によって略密閉されている。
【００１６】
第１のローラ対４３、４４と第２のローラ対４５、４６の間には、主走査方向に開口Ｓを有するガイド板４９が、フィルムＦの通路に配置されており、ガイド４９の上方には、前述の光学ユニット３８のローラスリット８０、８１が近接して設けられている。ローラスリット８０、８１は静電気防止及び光の散乱防止のため、金属で構成されその表面はつや消し塗装が施されている。ガイド板４９のスリットＳには、拡散板５０が取り付けられている。ガイド板４９の下方には熱吸収フィルタ５１、ランプ５２及びリフレクタ５３が順次配置されている。
【００１７】
ローラスリット８０、８１には掃除具保持板８７、８８で支持された繊維材８２、８３が設置されている。図３に示すように、繊維材８２、８３の内部にはスポンジ９０、９１が配置され、繊維材８２、８３はスポンジ９０、９１の反発力により適度な圧力でローラスリット８０、８１に押し付けられている。
【００１８】
ローラスリット８１はクラッチ８６及びギア８４、８５を介して、ローラ４５から動力の伝達が可能となっている。またローラスリット８０と８１は不図示のプーリにより動力を伝達している。
【００１９】
このような構成により、不図示の電源スイッチ投入後に、フィルムＦが搬送路に無い状態でハロゲンランプが一時的に点灯して、ローラスリット８０、８１を通過した光源からの光量分布をＣＣＤ５６で検出して埃の付着が無いかどうか確認を行う。
【００２０】
ＣＣＤ５６の出力波形に異常が無い場合には、搬送機構３４の吸盤４２が位置ａから位置ｂに下降し、サプライトレイ３２に積層された１枚のフィルムＦを分離して位置ｃに上昇し、回転本体４１の回転によりフィルムＦを各ガイド３５、３６に沿って位置ｄまで搬送し、フィルムＦ先端をローラ対４３、４４に挿入する。そして、吸盤４２が位置ｅに移動した後に回転本体４１が元の位置に戻る。ここでランプ５２が点灯する。ローラ対４３、４４はフィルムＦを更に搬送し、プーリ４７を介して同一速度で回転するローラ対４５、４６の間にフィルムＦを挿入する。フィルムＦがローラ対４３、４４とローラ対４５、４６との間の各ガイド４８、４９の間を通過する際に、ランプ５２から出射されリフレクタ５３で集光された光ビームは、熱吸収フィルタ５１と拡散板５０とを透過してフィルムＦに入射する。フィルムＦを透過した光ビームは、光学ユニット３８の各スリット７０、７１を通過した後に、ミラー５４に入射し、ミラー５４で反射し、レンズ５５を透過してＣＣＤ５６に入射する。これによりフィルムＦの画像が読み取られ、読み取られたフィルムＦをローラ対４５、４６がレシーブトレイ３３に排出する。
【００２１】
ＣＣＤ５６の出力波形に異常があった場合には、搬送機構３７の不図示の駆動モータを駆動させクラッチ４５を繋いでギア８４、８５を介して動力を伝達してローラスリット８０、８１を回転させる。ここで、ローラスリット８０、８１の表面に付着した埃は繊維材８２、８３により拭き取られる。所定時間が経過した後、不図示の駆動モータを停止して、クラッチ４５を切る。
【００２２】
そしてローラスリット８０、８１の表面に埃の付着が無いか再度確認を行い、ＣＣＤ５６の出力波形に異常が無ければシート読取動作に移る。ローラスリット８０、８１の表面に埃の付着が確認された場合には、所定回数までは上記の埃拭き取り動作を繰り返して行い、所定回数を越えた場合にはエラー終了する。
【００２３】
図４は掃除具がブラシである場合の実施の形態である。この他にも、掃除具はローラスリット表面の埃を除去可能な形態であればよく、例えば、スポンジ等であってもよい。
【００２４】
また、本実施の形態ではＣＣＤによって埃の付着を検出した後に埃の拭き取り動作を行っているが、電源投入毎に、埃の付着の有無に関わらず埃の拭き取り動作を行っても良い。
【００２５】
【発明の効果】
以上説明したように本発明に係る画像読取装置は、読取光学系のＣＣＤ５６によってローラスリット８０、８１への埃の付着を監視して、埃が付着した場合にはスリットローラ８０、８１を回転させてスリットローラ８０、８１の表面を自動的に掃除を行う画像読取装置を提供する。
【００２６】
掃除具は、繊維材８２、８３の代りにブラシ９２、９３を用いても同様の効果が得られる。
【図面の簡単な説明】
【図１】本発明の画像読取装置の概略構成図である。
【図２】図１の要部と光学ユニットの拡大部分図である。
【図３】図１の要部拡大部分図である。
【図４】掃除具がブラシの場合の要部拡大部分図である。
【図５】従来例の画像読取装置の概略構成図である。
【図６】従来例の図５の要部拡大部分図である。
【図７】従来例の図６の長手方向断面図である。
【符号の説明】
３１　装置本体
３８　光学ユニット
５６　ＣＣＤ
８０、８１　ローラスリット
８２、８３　繊維材
９０、９１　スポンジ
９２、９３　ブラシ
Ｆ　フィルム（シート）
【図１】
2004077642.tif 000003
【図２】
2004077642.tif 000004
【図３】
2004077642.tif 000005
【図４】
2004077642.tif 000006
【図５】
2004077642.tif 000007
【図６】
2004077642.tif 000008
【図７】
2004077642.tif 000009